(57)【要約】【課題】  通信網に障害が発生した場合でも、遠隔監視装置との双方向通信が可能な遠隔監視システムを提供する。【解決手段】  遠隔監視システムが、設備機器の状態を監視する監視装置を備え、監視装置は、複数の通信網のいずれかに接続されて、設備機器に関する情報を含むデータを発信するものであって、監視装置は、複数の通信網に対応する複数のアドレスを備え、データに複数のアドレスを含めて発信する。【選択図】図１
2017126934.tif 000002
【特許請求の範囲】
【請求項１】
設備機器の状態を監視する監視装置を備え、前記監視装置は、複数の通信網のいずれかに接続されて、前記設備機器に関する情報を含むデータを発信する遠隔監視システムにおいて、
前記監視装置は、
前記複数の通信網に対応する複数のアドレスを備え、
かつ、前記データに前記複数のアドレスを含めて発信することを特徴とする監視システム。
【請求項２】
請求項１に記載の遠隔監視システムにおいて、
さらに、前記複数の通信網のいずれかを介して前記監視装置と接続される遠隔監視サーバーを備え、
前記遠隔監視サーバーは、前記監視装置から受信する前記データから前記複数のアドレスを抽出し、抽出される前記複数のアドレスをデータベースに登録することを特徴とする遠隔監視システム。
【請求項３】
請求項１または請求項２に記載の遠隔監視システムにおいて、
前記データは、前記設備機器の異常発報データまたは定時通信データもしくは新規アドレス通知データであることを特徴とする遠隔監視システム。
【請求項４】
請求項１または請求項２に記載の遠隔監視システムにおいて、
前記監視装置と前記複数の通信網との間に、前記監視装置を前記複数の通信網のいずれかに接続するための複数の接続モジュールを備え、
前記複数のアドレスは、前記複数の接続モジュールに割り当てられるアドレスに基づいて作成されることを特徴とする遠隔監視システム。
【請求項５】
請求項１または請求項２に記載の遠隔監視システムにおいて、
前記監視装置と前記複数の通信網との間に、前記監視装置を前記複数の通信網のいずれかに接続するための複数の接続モジュールを備え、
前記複数の接続モジュールは、前記複数の通信網の状態を前記監視装置に通知することを特徴とする遠隔監視システム。
【請求項６】
請求項５に記載の遠隔監視システムにおいて、
前記監視装置は、前記複数の接続モジュールから通知される前記複数の通信網の状態に基づいて、正常と判定される通信網への接続を実行することを特徴とする遠隔監視システム。
【請求項７】
請求項２に記載の遠隔監視システムにおいて、
前記監視サーバーは、前記データベースに登録される前記複数のアドレスおよび最後に前記監視装置との通信に成功したアドレスに基づいて、前記監視装置との接続を実行することを特徴とする遠隔監視システム。
【発明の詳細な説明】
【技術分野】
【０００１】
本発明は、エレベーターなどの設備機器の遠隔監視を行う遠隔監視システムに関する。
【背景技術】
【０００２】
エレベーターの運転状態を、エレベーターから地理的に離れた場所で遠隔的に監視する遠隔監視センターを有する遠隔監視システムにおいては、エレベーターに異常が発生した時に、エレベーターが備える遠隔監視装置が、遠隔監視センターと遠隔監視装置との間を接続する通信網を介して、遠隔監視センターにエレベーターの異常を通報する。しかし、通信網に障害が発生した場合、遠隔監視装置がエレベーターの異常を検出しても遠隔監視センターに通知することができず、遠隔監視センターではエレベーターの異常を把握することができない状態すなわちエレベーターが無監視の状態となる。
【０００３】
これに対し、従来、特許文献１に記載の技術が知られている。本従来技術においては、遠隔監視装置が遠隔監視センターとの通信を行うために利用する通信網として複数の通信事業者が提供する複数の通信網が用いられる。そして、いずれかの通信網で障害が発生しその通信網が利用できない場合、遠隔監視装置は、別の通信網の利用に切り替えて遠隔監視センターに対してビル設備機器の異常発生を通知する。
【先行技術文献】
【特許文献】
【０００４】
【特許文献１】特開平９−１６１１９０号公報
【発明の概要】
【発明が解決しようとする課題】
【０００５】
上記従来技術では、通信網に障害が発生し遠隔監視センターとの通信が行えない状態となると、別の通信網に切り替え、遠隔監視装置が遠隔監視センターにエレベーターの異常を通報することは可能である。しかしながら、遠隔監視センター側からエレベーターの状態を確認する状況において、通信網の切り替えにより遠隔監視装置に接続するための通信アドレスが変更されるため、遠隔監視センター側では接続先の通信アドレスが不明となる。このため、遠隔監視センターから遠隔監視装置への通信が困難になる。
【０００６】
そこで、本発明は、通信網に障害が発生した場合でも、遠隔監視装置との双方向通信が可能な遠隔監視システムを提供する。
【課題を解決するための手段】
【０００７】
上記課題を解決するために、本発明による遠隔監視システムは、設備機器の状態を監視する監視装置を備え、監視装置は、複数の通信網のいずれかに接続されて、設備機器に関する情報を含むデータを発信するものであって、監視装置は、複数の通信網に対応する複数のアドレスを備え、データに複数のアドレスを含めて発信する。
【発明の効果】
【０００８】
本発明によれば、監視装置が発信するデータによって、遠隔監視システム内において監視装置のアドレスを登録したり、更新したりすることができる。これにより、遠隔監視システム内における監視装置との双方向通信を確実に行うことができる。
【０００９】
遠隔監視システムが遠隔監視センターの遠隔監視サーバーを備えている場合、監視装置が発信するデータによって遠隔監視センターは監視装置が現有する複数のアドレスを確実に把握できる。これにより、通信網に障害が発生した場合でも、遠隔監視センターと監視装置間の双方向通信が可能となる。
【００１０】
上記した以外の課題、構成および効果は、以下の実施形態の説明により明らかにされる。
【図面の簡単な説明】
【００１１】
【図１】本発明の一実施形態である遠隔監視システムの構成を示すブロック図である。
【図２】遠隔監視装置のアドレス通知処理動作の流れを示すフローチャートである。
【図３】遠隔監視サーバーのアドレス登録処理動作の流れを示すフローチャートである。
【図４】遠隔監視装置の通信接続処理動作の流れを示すフローチャートである。
【図５】遠隔監視サーバーの通信接続処理動作の流れを示すフローチャートである。
【発明を実施するための形態】
【００１２】
以下、本発明の実施形態について、図面を用いて説明する。
【００１３】
図１は、本発明の一実施形態である遠隔監視システムの構成を示すブロック図である。なお、本実施形態において、遠隔監視の対象となる設備機器は、エレベーターである。
【００１４】
エレベーター１の運行状況を監視する遠隔監視装置２がエレベーター１に接続される。遠隔監視装置２は、ＩＰ監視網接続装置３と接続され、ＩＰ監視網接続装置３を介して遠隔地にある遠隔監視センター６に対してエレベーター１の異常発生を通報する。ＩＰ監視網接続装置３は、その内部において、複数（本実施形態では３個）の通信網との接続を行うために、網接続を行う接続モジュール３１、接続モジュール３２および接続モジュール３３ｎの複数を有し、それぞれ、専用の通信網４１、通信網４２および通信網４３への接続を行う。なお、接続モジュールおよび通信網の個数は、３個に限らず、任意の複数個で良い。
【００１５】
接続モジュール３１〜３３には、それぞれの通信網４１〜４３に接続が成功すると、通信網側から通信に使用するアドレス５１〜５３が通知される。ＩＰ監視網接続装置３は、接続モジュール３１，３２および３３に対してそれぞれ通知されて割り当てられた通信用のアドレス（Ａ）５１，アドレス（Ｂ）５２およびアドレス（Ｃ）５３を、各接続モジュールに登録する。
【００１６】
ＩＰ監視網接続装置３は、接続モジュール３１〜３３がそれぞれ接続する通信網４１〜４３から通信用アドレス５１〜５３を受信したことを検出すると、遠隔監視装置２に対して、通信用アドレス５１〜５３に対応して、遠隔監視装置２が利用するアドレス２１〜２３を通知する。
【００１７】
遠隔監視装置２はＩＰ監視網接続装置３から通知されたアドレス２１〜２３を自身に登録する。このとき、ＩＰ監視網接続装置３が複数の通信網４１〜４３から通信モジュール３１〜３３に対するアドレス５１〜５３を受信している場合、受信した３個のアドレスに対応する遠隔監視装置２向けの３個のアドレス２１〜２３が登録される。また、遠隔監視装置２に登録されるアドレス２１〜２３は、それぞれ、通信網４１〜４３から接続モジュール３１〜３３に通知されたアドレス５１〜５３に基づいて生成されるアドレスであり、アドレスの上位部分からどの通信網向けのアドレスであるか判定可能である。なお、本実施形態において、遠隔監視装置２のアドレス（２１，２２，２３）は、接続モジュール（３１，３２，３３）に割り当てられたアドレス（（Ａ），（Ｂ），（Ｃ））に、遠隔監視装置２を特定するためのアドレスコード（ｕ１，ｕ２，ｕ３）を付加することにより作成される。
【００１８】
なお、アドレス２１〜２３は、遠隔監視装置２によって作成されても良い。この場合、ＩＰ監視網接続装置３は、接続モジュール３１〜３３に割り当てられたアドレス５１〜５３を遠隔監視装置２に通知する。遠隔監視装置２は、通知されたアドレス５１〜５３に基づいて、自装置のアドレス２１〜２３を作成して自装置に登録する。
【００１９】
通信網４１〜４３は遠隔監視センター６内に設置されているファイアウォール装置（Ｆ／Ｗ）７に接続され、ファイアウォール装置７を介して、同遠隔監視センター６に設置される遠隔監視サーバー８へと接続される。遠隔監視装置２はエレベーター１に異常が発生したことを検出すると、遠隔監視装置２に登録されているアドレス２１〜２３のいずれかを用いて、ＩＰ監視網接続装置３に備えられた接続モジュール３１〜３３のうち、利用するアドレス２１〜２３のいずれかのアドレスに対応する接続モジュールを介し、通信網４１〜４３のいずれかとファイアウォール装置７を経由し遠隔監視サーバー８にエレベーター１の異常発生を通報する。ここで、遠隔監視装置２は、アドレス２１〜２３から通報に用いるアドレス、従って通信網を選択する。この時の選択手段として、例えば、通信網４１〜４３に優先順位が設定される。
【００２０】
遠隔監視装置２は、遠隔監視サーバー８に対してエレベーター１の異常発生を通報する際、遠隔監視装置２に登録されているアドレス２１〜２３を、異常発生に関するデータ内に含め、このデータを遠隔監視サーバー８に送信する。遠隔監視サーバー８は遠隔監視装置２から受信した異常発生データに含まれる遠隔監視装置２のアドレス２１〜２３を抽出し、抽出されたアドレス２１〜２３を、遠隔監視装置２に設定されている、例えば製造番号のような遠隔監視装置２を一意的に識別可能なコードと共に、アドレス管理用データベース９に登録する。
【００２１】
エレベーターに異常が発生していない場合には、遠隔監視装置２から遠隔監視サーバー８までの通信経路に異常が発生していないことを確認するために遠隔監視装置２にあらかじめ設定されている時刻に遠隔監視サーバー８に対して定時通信を行い、定時通信のデータ内に遠隔監視装置２に登録されているアドレス２１〜２３を含めて遠隔監視サーバー８に通報する。これにより、一定時間間隔でアドレス管理用データベース９に登録されている遠隔監視装置２のアドレス情報２１〜２３を最新の状態に更新することできる。
【００２２】
また、ＩＰ監視網接続装置３が故障などのために交換されると、通信網４１〜４３から新しいアドレス５１〜５３が接続モジュール３１〜３３に対して通知される。新しいＩＰ監視網接続装置３は、新たに通知されたアドレス５１〜５３から遠隔監視装置２向けの新しいアドレス２１〜２３を生成して遠隔監視装置２に通知する。
【００２３】
なお、本実施形態において、遠隔監視装置２から遠隔監視サーバー８へ送信されるデータに含めるアドレス２１〜２３は、データに付加される、発信元を示すアドレスとは別に、データ内容の一部として付加される。
【００２４】
遠隔監視装置２は、新しいＩＰ監視網接続装置３から通知されたアドレス２１〜２３を自装置内に登録すると共に、遠隔監視サーバー８に向けて新しいアドレス２１〜２３を通知する。遠隔監視サーバー８は、通知された新しいアドレス２１〜２３をアドレス管理用データベース９に登録する。これにより、遠隔監視サーバー８は、遠隔監視装置２の最新アドレスを保持することができる。なお、遠隔監視装置２による新アドレス２１〜２３の通知は、上述したように、異常通報や定時通報とともに行っても良い。
【００２５】
上述したような、遠隔監視装置２によるアドレスの通知、並びに遠隔監視サーバー８によるアドレスの登録は、遠隔監視装置２および遠隔監視サーバー８が各々備えているコンピュータシステムにおけるＭＰＵ（Micro Processor Unit）やＣＰＵ（Central Processing Unit）などの演算処理装置が、所定のプログラムを実行することによって為される。この場合における、遠隔監視装置２および遠隔監視サーバー８の処理動作について、次に、図２，３を用いて説明する。
【００２６】
図２は、アドレス２１〜２３の通知における、遠隔監視装置２の処理動作の一例の流れを示すフローチャートである。
【００２７】
処理が開始すると、エレベーター１の異常を検出したかが判定される（ステップＳ１１）。異常が検出されたと判定された場合（ステップＳ１１のＹＥＳ）、異常通報のための送信データに、現時点で登録されているアドレス２１〜２３が含められる（ステップＳ１２）。次に、この送信データが遠隔監視サーバー８に送信され（ステップＳ１３）、処理が終了する。
【００２８】
ステップＳ１１において、異常が検出されていないと判定された場合（ステップＳ１１のＮＯ）、次に、時刻が定時通信を行う所定時刻（定時）であるかが判定される（ステップＳ１４）。所定時刻であると判定された場合（ステップＳ１４のＹＥＳ）、定時通信データに、現時点で登録されているアドレス２１〜２３が含められる（ステップＳ１５）。次に、この定時通信データが遠隔監視サーバー８に送信され（ステップＳ１３）、処理が終了する。
【００２９】
ステップＳ１４において、時刻が所定時刻ではないと判定された場合（ステップＳ１４のＮＯ）、次に、ＩＰ監視網接続装置３から新規アドレス２１〜２３を受信しているかが判定される（ステップＳ１６）。新規アドレスを受信していると判定された場合（ステップＳ１６のＹＥＳ）、新規アドレス通知用のデータが作成される（ステップＳ１７）。次に、この新規アドレス通知用のデータが遠隔監視サーバー８に送信され（ステップＳ１３）、処理が終了する。
【００３０】
なお、ステップＳ１６において、新規アドレスが受信されていないと判定された場合（ステップＳ１６のＮＯ）、ステップＳ１１に戻って、ステップＳ１１以降の処理が再度実行される。
【００３１】
図３は、アドレスの登録における、遠隔監視サーバーの処理動作の一例の流れを示すフローチャートである。
【００３２】
処理が開始すると、遠隔監視装置２によって送信されたデータ、すなわち図２に示した、異常通報のための送信データ、定時通信データおよび新規アドレス通知データの内のいずれかが受信されているかが判定される（ステップＳ２１）。データが受信されていると判定された場合（ステップＳ２１のＹＥＳ）、次にステップＳ２２の処理が実行される。また、データが受信されていないと判定された場合（ステップＳ２１のＮＯ）、再度、ステップＳ２１の処理が実行される。
【００３３】
ステップＳ２２では、遠隔監視装置２から受信したデータに含まれるアドレスが抽出される。抽出されたアドレスはアドレス管理用データベース９に登録され（ステップＳ２３）、処理が終了する。
【００３４】
以下、遠隔監視装置２と遠隔監視サーバー８における通信接続動作について説明する。
【００３５】
ＩＰ監視網接続装置３は、通信網４１〜４３のいずれかに異常が発生し、接続モジュール３１〜３３のいずれかが通信網４１〜４３のいずれかから切り離されたことを検出すると、遠隔監視装置２へ、異常が発生し通信不能となった通信網の情報を通知する。
【００３６】
遠隔監視装置２は、通知された通信網の情報に基づいて、通信に利用可能なアドレスをアドレス２１〜２３から選択して遠隔監視サーバー８への通信を行う。また、通信網４１〜４３のいずれかが通信不能であるにもかかわらず通信網４１〜４３から、ＩＰ監視網接続装置３に異常が通知されていない場合、遠隔監視装置２は、アドレス２１〜２３のいずれかを用いて遠隔監視サーバー８への接続を行う。接続に失敗した場合、遠隔監視装置２は、別のアドレスを用いて再度、遠隔監視サーバー８への接続を試みる。接続が行えたとき、遠隔監視サーバー８は、遠隔監視装置２が接続に利用したアドレス２１〜２３のいずれかのアドレスを、最後に遠隔監視装置２との通信が成功したアドレスとしてアドレス管理用データベース９に登録する。
【００３７】
遠隔監視サーバー８は、遠隔監視装置２に対して接続を行う場合、接続対象を一意に識別可能なコード（例えば、遠隔監視装置２の製造番号）をキーとして、アドレス管理用データベース９から、遠隔監視装置２のアドレス２１〜２３、および遠隔監視装置２から遠隔監視サーバー８に対して最後に接続を行ったときに使用したアドレスを取得する。次に、遠隔監視サーバー８は、まず、通信接続に成功する確率が高いとみなせる、遠隔監視装置２から遠隔監視サーバー８に対して最後に接続を行ったときに使用したアドレスに対して接続を実行し、接続に失敗したときに別のアドレスに対して接続を実行する。これにより、遠隔監視サーバー８は、いずれかのアドレスを利用して遠隔監視装置２と確実に通信することができる。
【００３８】
上述したような、遠隔監視装置２による通信接続、並びに遠隔監視サーバー８による通信接続ついても、遠隔監視装置２および遠隔監視サーバーが各々備えているコンピュータシステムにおけるＭＰＵやＣＰＵなどの演算処理装置が、所定のプログラムを実行することによって為される。この場合における、遠隔監視装置２および遠隔監視サーバー８の処理動作について、次に、図４，５を用いて説明する。
【００３９】
図４は、通信接続における、遠隔監視装置の処理動作の一例の流れを示すフローチャートである。
【００４０】
処理が開始すると、登録されているアドレス２１〜２３から、遠隔監視サーバー８と通信接続するためのアドレスが選択される（ステップＳ３１）。ここで、アドレス２１〜２３には予め優先順位が付与され、まず、優先順位が高いアドレスから選択される。
【００４１】
次に、ＩＰ監視網接続装置３から通知されている通信網の情報に基づいて、ステップＳ３１で選択されたアドレスに対応する通信網が正常であるかが判定される（ステップＳ３２）。通信網が正常であると判定された場合（ステップＳ３２のＹＥＳ）、次に、ステップＳ３３が実行される。また、通信網が異常であると判定された場合（ステップＳ３２のＮＯ）、ステップＳ３１が再度実行され、順次優先度の高いアドレスが選択される。
【００４２】
ステップＳ３３では、ステップＳ３１で選択されたアドレスを用いて、通信接続処理が実行される。次に、接続が成功したかが判定される（ステップＳ３４）。接続が成功した場合（ステップＳ３４のＹＥＳ）、処理が終了する。
【００４３】
接続が失敗したと判定された場合（ステップＳ３４のＮＯ）、ステップＳ３１に戻って、ステップＳ３１以降の処理が再度実行される。なお、この場合は、上述したように、通信網４１〜４３のいずれかが通信不能であるにもかかわらず通信網４１〜４３から、ＩＰ監視網接続装置３に異常が通知されていない場合に相当する。
【００４４】
図５は、通信接続における、遠隔監視サーバーの処理動作の一例の流れを示すフローチャートである。
【００４５】
処理が開始すると、接続相手である遠隔監視装置２の登録アドレス２１〜２３、およびその遠隔監視装置２と最後に通信が成功した時のアドレスが、アドレス管理用データベース９から取得される（ステップＳ４１）。次に、取得された、最後に通信が成功した時のアドレスへの通信接続処理が実行される（ステップＳ４２）。
【００４６】
ステップＳ４２が実行されると、次に、接続が成功したかが判定される（ステップＳ４３）。接続が成功した場合（ステップＳ４３のＹＥＳ）、処理が終了する。
【００４７】
接続が失敗したと判定された場合（ステップＳ４３のＮＯ）、次に、他のアドレスへの通信接続処理が実行される（ステップＳ４４）。ここで、アドレス管理用データベース９に登録されるアドレス２１〜２３には予め優先順位が付与され、まず、優先順位が高いアドレスから、他のアドレスが選択される。本実施例において、この優先順位は、遠隔監視装置２における優先順位と同じであるが、遠隔監視サーバー独自に設定されても良い。ステップＳ４４が実行されると、ステップＳ４３に戻って他のアドレスへの接続が成功したかが判定される。再度、接続が失敗したと判定された場合には、ステップＳ４４が再度実行され、順次優先度の高いアドレスが選択される。
【００４８】
本実施形態によれば、遠隔監視装置が自アドレスを遠隔監視サーバーへ発信することにより、遠隔監視サーバーは、接続可能な遠隔監視装置の現有アドレスを登録したり、更新したりすることができるので、遠隔監視装置から遠隔監視センター向けの通信のみならず、遠隔監視センターから遠隔監視装置向けの通信も確保される。したがって、通信網に障害が発生しても、遠隔監視装置と遠隔監視センター間において双方向で正常な通信を継続することができる。
【００４９】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、実施形態の構成の一部について、他の構成の追加・削除・置き換えをすることが可能である。
【００５０】
例えば、遠隔監視装置の監視対象としては、エレベーターのほか、エスカレーター、空調装置、照明装置や自家発電設備などの設備機器がある。
【符号の説明】
【００５１】
１  エレベーター
２  遠隔監視装置
２１〜２３  アドレス（遠隔監視装置）
３  ＩＰ監視網接続装置
３１〜３３  接続モジュール
４１〜４３  通信網
５１〜５３  アドレス（接続モジュール）
６  遠隔監視センター
７  ファイアウォール装置
８  遠隔監視サーバー
９  アドレス管理用データベース
【図１】
2017126934.tif 000003
【図２】
2017126934.tif 000004
【図３】
2017126934.tif 000005
【図４】
2017126934.tif 000006
【図５】
2017126934.tif 000007